(57)【特許請求の範囲】
【請求項１】
湿式電動ドリルの冷却汚水を吸引するバキューム装置又は冷却水を供給する給水装置のいずれか一方又は両方のスイッチの誤動作を防止する湿式電動ドリルの誤動作対策スイッチ機構であって、
前記バキューム装置と連通する前記冷却汚水の排水機構は、前記湿式電動ドリルで削孔した削孔深さに応じて伸縮する伸縮チューブを備えており、
この伸縮チューブの伸縮と突没動作が連動するシャフトが設けられ、
前記スイッチは、ＯＮ・ＯＦＦ動作の動作線が前記シャフトの突出軌道と重なるように取り付けられ、
前記シャフトの突出時に、前記スイッチをＯＦＦ又はＯＮできない、又は操作し難いように構成されていること
を特徴とする湿式電動ドリルの誤動作対策スイッチ機構。
【請求項２】
前記伸縮チューブは、前記湿式電動ドリルに固定された固定チューブと、この固定チューブに対してスライド移動自在に構成された可動チューブと、を有し、
前記シャフトを保持するシャフトホルダーを備え、
前記シャフトホルダーは、前記可動チューブに固定されていること
を特徴とする請求項１に記載の湿式電動ドリルの誤動作対策スイッチ機構。
【請求項３】
前記伸縮チューブは、前記固定チューブと前記可動チューブと間に両者を離間する方向に付勢するばね材が介装されていること
を特徴とする請求項２に記載の湿式電動ドリルの誤動作対策スイッチ機構。
【請求項４】
前記スイッチは、つまみ状の操作レバーを揺動してＯＮ又はＯＦＦするトグルスイッチであり、
前記シャフトの突出軌道は、前記操作レバーの揺動軌道と交差すること
を特徴とする請求項１ないし３のいずれかに記載の湿式電動ドリルの誤動作対策スイッチ機構。
【請求項５】
前記スイッチは、押しボタンを押圧してＯＮ又はＯＦＦする押しボタンスイッチであり、
前記シャフトの突出軌道は、前記押しボタンの押し動作の動作線上を通ること
を特徴とする請求項１ないし３のいずれかに記載の湿式電動ドリルの誤動作対策スイッチ機構。
【請求項６】
冷却水でドリルビットを冷却する湿式電動ドリルであって、
請求項１ないし５のいずれかに記載の湿式電動ドリルの誤動作対策スイッチ機構を備えること
を特徴とする湿式電動ドリル。
【発明の詳細な説明】
【技術分野】
【０００１】
本発明は、湿式電動ドリルの冷却汚水を吸引するバキューム装置又は冷却水を供給する給水装置のスイッチの誤動作を防止する湿式電動ドリルの誤動作対策スイッチ機構及びそれを備えた湿式電動ドリルに関するものである。
【背景技術】
【０００２】
ＲＣ構造物、ＳＲＣ構造物、ＰＣ構造物などのコンクリート構造物からなる建物は、コンクリート躯体の上に、凹凸（不陸）を無くすためにモルタル層が形成されて、そのモルタル層の上に、弾性塗料が塗布されたり、陶磁器製のタイルが貼付けられたりして仕上げ層が形成されている。
【０００３】
このため、雨水の侵入や熱膨張差等による経年劣化によりモルタル層がコンクリート躯体から浮き上がり、地震等によりタイルなどの仕上げ層が剥離して落下するという事故が起きる場合がある。よって、定期点検等を行って、モルタル層の浮き上がった部分を把握し、補修することが行われている。
【０００４】
このようなモルタル層の浮き上がりを補修する工法としては、ピンニング工法が知られている（特許文献１等参照）。ピンニング工法は、モルタル層の浮き上がった箇所に、電動ドリルでタイルの上からコンクリート躯体の所定深さまで削孔して、削孔した孔にピンを挿入してエポキシ樹脂等の接着剤で周囲を硬化させて、モルタル層の剥落を防止するものである。
【０００５】
このようなピンニング工法の削孔等に用いられる電動ドリルには、ドリルビットの冷却に冷却水を用いない乾式ドリルと、ドリルビットの冷却に冷却水を用いる湿式ドリルが存在する。これらの電動ドリルでは、高価であるが、低振動、低騒音、無粉塵であるため、湿式の電動ドリルが好適に用いられる。
【０００６】
例えば、特許文献２には、注水セットから水を滴下して穿孔する湿式ドリルビットにおいて、穿孔刃４の外周形状を動力源から穿孔面方向に拡開した円錐形状にして、穿孔後の切削水が外周に飛び散らず、また電動ドリルに浸入しないようにした湿式ドリルが開示されている（特許文献２の図面の図１，図４等参照）。
【０００７】
また、図１０に示すように、手持ちの電動ドリルにおいて、ダイヤモンドビット１２を嵌着した湿式用シャンク１１に給水チューブ１１ａを介して冷却水を供給し、バキューム装置と接続されたリング状の吸引パッドから削孔により生じる粉塵とともに冷却水を吸引して、排水する手持ちの湿式ドリル、及びそのバキュームセットも市販されている。
【０００８】
これらの手持ちの湿式ドリルは、バキューム装置のスイッチを作動した後、給水装置及び湿式ドリルを作動し、削孔後は、給水装置及び湿式ドリルの作動を停止した後、バキューム装置のスイッチを切る必要があった。しかし、これらの動作の順番を間違えたり、スイッチに間違って触れてしまい意図せずバキューム装置のスイッチを切ってしまったりする場合があった。その場合、湿式ドリルのビットに供給される水が回収されず、削孔屑を含んだ汚水で周囲が汚染されるという問題があった。特に、仕上げ面が、多孔質である陶器質タイルやリシン仕上げ等である場合、汚水が接触して汚れた部分を清掃することが極めて困難であり、ヒューマンエラーなどの誤動作でバキューム装置のスイッチが切れてしまうことや誤動作で給水装置のスイッチを入れてしまうことを防止する対策が切望されていた。
【先行技術文献】
【特許文献】
【０００９】
【特許文献１】特開２００７−１７７４８４号公報
【特許文献２】特開２０１３−２５６０６３号公報
【発明の概要】
【発明が解決しようとする課題】
【００１０】
そこで、本発明は、前述した問題に鑑みて案出されたものであり、その目的とするところは、ヒューマンエラーなどでバキューム装置や給水装置のスイッチを誤動作するおそれがなく、冷却汚水や冷却水で周囲が汚れたり濡れたりすることを防止することができる湿式電動ドリルの誤動作対策スイッチ機構及びそれを備えた湿式電動ドリルを提供することにある。
【課題を解決するための手段】
【００１１】
請求項１に係る湿式電動ドリルの誤動作対策スイッチ機構は、湿式電動ドリルの冷却汚水を吸引するバキューム装置又は冷却水を供給する給水装置のいずれか一方又は両方のスイッチの誤動作を防止する湿式電動ドリルの誤動作対策スイッチ機構であって、前記バキューム装置と連通する前記冷却汚水の排水機構は、前記湿式電動ドリルで削孔した削孔深さに応じて伸縮する伸縮チューブを備えており、この伸縮チューブの伸縮と突没動作が連動するシャフトが設けられ、前記スイッチは、ＯＮ・ＯＦＦ動作の動作線が前記シャフトの突出軌道と重なるように取り付けられ、前記シャフトの突出時に、前記スイッチをＯＦＦ又はＯＮできない、又は操作し難いように構成されていることを特徴とする。
【００１２】
請求項２に係る湿式電動ドリルの誤動作対策スイッチ機構は、請求項１に係る湿式電動ドリルの誤動作対策スイッチ機構において、前記伸縮チューブは、前記湿式電動ドリルに固定された固定チューブと、この固定チューブに対してスライド移動自在に構成された可動チューブと、を有し、前記シャフトを保持するシャフトホルダーを備え、前記シャフトホルダーは、前記可動チューブに固定されていることを特徴とする。
【００１３】
請求項３に係る湿式電動ドリルの誤動作対策スイッチ機構は、請求項２に係る湿式電動ドリルの誤動作対策スイッチ機構において、前記伸縮チューブは、前記固定チューブと前記可動チューブと間に両者を離間する方向に付勢するばね材が介装されていることを特徴とする。
【００１４】
請求項４に係る湿式電動ドリルの誤動作対策スイッチ機構は、請求項１ないし３のいずれかに係る湿式電動ドリルの誤動作対策スイッチ機構において、前記スイッチは、つまみ状の操作レバーを揺動してＯＮ又はＯＦＦするトグルスイッチであり、前記シャフトの突出軌道は、前記操作レバーの揺動軌道と交差することを特徴とする。
【００１５】
請求項５に係る湿式電動ドリルの誤動作対策スイッチ機構は、請求項１ないし３のいずれかに係る湿式電動ドリルの誤動作対策スイッチ機構において、前記スイッチは、押しボタンを押圧してＯＮ又はＯＦＦする押しボタンスイッチであり、前記シャフトの突出軌道は、前記押しボタンの押し動作の動作線上を通ることを特徴とする。
【００１６】
請求項６に係る湿式電動ドリルは、冷却水でドリルビットを冷却する湿式電動ドリルであって、請求項１ないし５のいずれかに記載の湿式電動ドリルの誤動作対策スイッチ機構を備えることを特徴とする。
【発明の効果】
【００１７】
請求項１〜６に記載の発明によれば、湿式電動ドリルの削孔時に物理的にスイッチをＯＦＦできないように構成されているので、誤ってバキューム装置のスイッチを切って（ＯＦＦして）しまうおそれがなくなる。このため、誤操作等でバキューム装置が止まってしまい、冷却汚水が吸引できずに削孔した孔の周囲が汚れることを防止することができる。また、ダイヤモンドビットが孔から露出したむき出しの状態でＯＮできないので、誤って給水装置が作動してダイヤモンドビットの先端から冷却水を放出し、周囲を濡らすことを防止することができる。
【００１８】
特に、請求項２に記載の発明によれば、前記作用効果を奏する誤動作対策スイッチ機構を手持ちの湿式電動ドリルに搭載可能な簡易かつコンパクトな構成で達成することができる。
【００１９】
特に、請求項３に記載の発明によれば、伸縮チューブにばね材が介装されているので、削孔が終了した際や削孔前などの湿式電動ドリルを削孔対象物に押し付けていない状態において、伸縮チューブが伸び、シャフトが後退する。このため、湿式電動ドリルで削孔していない時にバキューム装置のスイッチを即座にＯＮ・ＯＦＦ操作が可能となる。よって、削孔が終了した際に直ぐにバキューム装置のスイッチを止めることができ、騒音源でもあるバキューム装置の使用時間を最小限とすることができる。
【００２０】
特に、請求項４に記載の発明によれば、トグルスイッチにおいて、前記作用効果を達成することができる。
【００２１】
特に、請求項５に記載の発明によれば、押しボタンスイッチにおいて、前記作用効果を達成することができる。
【図面の簡単な説明】
【００２２】
【図１】本発明の実施形態に係る湿式電動ドリルの誤動作対策スイッチ機構を備えた湿式電動ドリルを示す全体側面図である。
【図２】同上の湿式電動ドリルの誤動作対策スイッチ機構を示す分拡大斜視図である。
【図３】同上の誤動作対策スイッチ機構のシャフトホルダーを示す斜視図である。
【図４】同上の誤動作対策スイッチ機構のストッパーを示す正面図である。
【図５】同上の誤動作対策スイッチ機構のスイッチを示す斜視図である。
【図６】同上の誤動作対策スイッチ機構の固定部材を示す斜視図である。
【図７】本発明の実施形態に係る湿式電動ドリル用バキューム装置の吸水キャップを示す斜視図である。
【図８】本発明の実施形態に係る誤動作対策スイッチ機構を備えた湿式電動ドリルの削孔時の状態を示す全体側面図である。
【図９】ピンニング工法の一環として同上の湿式電動ドリルを用いて浮き上がったタイル面に削孔している状態を示す部分鉛直断面図である。
【図１０】従来の市販の湿式電動ドリルを示す全体側面図である。
【発明を実施するための形態】
【００２３】
以下、本発明に係る湿式電動ドリルの誤動作対策スイッチ機構を実施するための一実施形態について、図面を参照しながら詳細に説明する。
【００２４】
＜湿式電動ドリルの誤動作対策スイッチ機構及び湿式ドリル＞
先ず、図１〜図９を用いて、本発明の実施形態に係る湿式電動ドリルの誤動作対策スイッチ機構１（以下、単に誤動作対策スイッチ機構１ともいう）及び誤動作対策スイッチ機構１を備えた湿式電動ドリル１００について説明する。図１は、本発明の実施形態に係る湿式電動ドリルの誤動作対策スイッチ機構１を備えた湿式電動ドリル１００を示す全体図である。また、図２は、湿式電動ドリルの誤動作対策スイッチ機構１を示す部分拡大斜視図である。
【００２５】
（湿式電動ドリル）
先ず、図１０，図１，図２を用いて市販の湿式電動ドリル１００及びその排水機構１３について簡単に説明する。図１０は、従来の市販の湿式電動ドリルを示す全体側面図である。
【００２６】
湿式電動ドリル１００は、図１０等に示すように、一般的な市販の電動ドリル１０を主体とする電動工具である。この電動ドリル１０は、電動モータによるスピンドルの回転機能のみの電動ドリル、トルククラッチの付いたドライバードリルなどを指している。なお、符号１０ａは、電動モータを駆動する電動ドリル１０のスイッチ１０ａである。
【００２７】
湿式電動ドリル１００は、電動ドリル１０のスピンドル（図示せず）に、湿式用シャンク１１を介してドリルビットである湿式用ダイヤモンドビット１２が装着されている。この湿式用シャンク１１には、給水用の給水チューブ１１ａが接続されて、図示しない給水装置から水道水などの冷却水が湿式用のダイヤモンドビット１２を伝って削孔する孔の底（奥）に供給される仕組みとなっている。
【００２８】
給水装置から供給された冷却水は、摩擦熱で熱せられたダイヤモンドビット１２を冷却するとともに、削孔により発生した削屑（粉塵）を巻き上げてそれらが混ざった冷却汚水となり、排水機構１３を介してバキューム装置（図示せず）で吸引されて排水される。
【００２９】
（排水機構）
図１，図２，図１０に示すように、排水機構１３は、電動ドリル１０に装着される排水路が伸縮する伸縮チューブ１４を備えている。この伸縮チューブ１４は、電動ドリル１０に固定された固定チューブ１５と、この固定チューブ１５に対してスライド移動自在に構成された可動チューブ１６と、固定チューブ１５に接続されてバキューム装置と連通する排水ホース１７など、から構成されている。なお、バキューム装置と連通する排水ホース１７は、固定チューブ１５を介さず、可動チューブ１６に直接接続されていても構わない。
【００３０】
この可動チューブ１６には、図２，図１０に示すように、吸水口１６ａが形成され、この吸水口１６ａにゴム材からなる吸引パッド１６ｂが取り付けられている。そして、この吸引パッド１６ｂには、汚水が接触して汚れる仕上げ面の面積を極力少なくするために後述の吸水キャップ７が装着されている。
【００３１】
また、この伸縮チューブ１４は、固定チューブ１５と可動チューブ１６と間に両者を離間する方向に付勢する図示しないばね材が介装されている。このため、可動チューブ１６が削孔対象物に押し付けられていない場合には、伸縮チューブ１４は、伸長し、所定の長さに戻る仕組みとなっている。
【００３２】
（（誤動作対策スイッチ機構））
次に、図１〜図７を用いて、本発明の実施形態に係る湿式電動ドリルの誤動作対策スイッチ機構１の構成について説明する。
【００３３】
誤動作対策スイッチ機構１は、図１，図２に示すように、前述の排水機構１３の伸縮チューブ１４に装着され、その伸縮動作と連動する機構である。この誤動作対策スイッチ機構１は、シャフト２０を保持するシャフトホルダー２と、可動チューブ１６の移動距離を規制して穿孔（削孔）深さを調整するストッパー３と、バキューム装置のＯＮ・ＯＦＦを行うスイッチ４と、このスイッチを収納するスイッチボックス５と、排水機構１３を湿式電動ドリル１００に固定する固定部材６など、から構成されている。
【００３４】
（シャフトホルダー）
図３は、誤動作対策スイッチ機構１のシャフトホルダー２を示す斜視図である。図３に示すように、シャフトホルダー２は、伸縮チューブ１４の可動チューブ１６に装着され、鋼線の棒材からなるシャフト２０を保持するための部材であり、可動チューブ１６から離れるに従って先細りとなるティアドロップ状のホルダー本体２１から主に構成されている。
【００３５】
また、このホルダー本体２１には、幅が広い基端側に可動チューブ１６が挿通されるチューブ孔２２が形成されているとともに、幅が狭い先端側にシャフト２０を嵌着するシャフト２０の径と略同じ径の有底のシャフト穴２３が形成されている。シャフトホルダー２は、このシャフト穴２３にシャフト２０が差し込まれて保持される仕組みとなっている。勿論、シャフト穴２３は、シャフト２０を固定できるのであれば、有底の穴に限られず、貫通孔であっても構わない。
【００３６】
（ストッパー）
図４は、誤動作対策スイッチ機構１のストッパー３を示す斜視図である。図４に示すように、ストッパー３は、可動チューブ１６に装着され、可動チューブ１６の移動距離を規制する部材であり、ストッパー本体３０と、このストッパー本体３０に軸着されたねじ部３１など、から構成されている。
【００３７】
このストッパー本体３０には、可動チューブ１６を挿通するチューブ孔３２が穿設されているとともに、このチューブ孔３２と連通するスリット３３が形成されている。このため、ストッパー３は、ねじ部３１をねじ締め方向に回すことでスリット３３の間隔を締め付けてチューブ孔３２を狭め、ストッパー３を可動チューブ１６の任意の位置に固定する仕組みとなっている。
【００３８】
（スイッチ）
図５は、誤動作対策スイッチ機構１のスイッチ４を示す斜視図である。図５に示すように、スイッチ４は、つまみ状の操作レバー４０を揺動してＯＮ又はＯＦＦするトグルスイッチであり、無線又は有線によりバキューム装置の吸引ポンプを作動又は停止するためのスイッチである。また、このスイッチ４は、無線又は有線により給水装置の給水ポンプを作動又は停止するためのスイッチと連動させてバキューム装置の吸引ポンプの作動から所定時間遅れて作動し、バキューム装置の吸引ポンプの停止前に停止するようにすると好ましい。
【００３９】
このスイッチ４は、後述のスイッチボックス５に収納されて、図２等に示すように、操作レバー４０の揺動軌道Ａ上に、シャフト２０の突出軌道Ｂが重なるように取り付けられている。即ち、シャフト２０の突出軌道Ｂが操作レバー４０の揺動軌道Ａと交差して、シャフト２０がスイッチボックス５まで突出した際に、操作レバー４０のＯＦＦ操作ができないように固定されている。このため、湿式電動ドリル１００の削孔時に誤ってスイッチ４を切って（ＯＦＦして）バキューム装置の吸引ポンプを停止してしまうおそれがない。
【００４０】
なお、本発明の実施形態に係るスイッチ４として、トグルスイッチを例示したが、本発明に係るスイッチは、押ボタンスイッチやロッカスイッチなど他の種類のスイッチであっても構わない。その場合は、シャフトの突出軌道Ｂが、スイッチのＯＦＦ動作の動作線と交差し、スイッチのＯＦＦ動作を阻害するようにスイッチを取り付ける。例えば、押しボタンスイッチの場合、シャフトの突出軌道Ｂが押しボタンの押し動作の動作線上を通るようにスイッチを取り付けると好ましい。
【００４１】
（スイッチボックス）
スイッチボックス５は、図２に示すように、上面が開放された箱状のボックス本体５０から主に構成され、このボックス本体５０には、前述の操作レバー４０を出すためのレバー孔５１が形成されている。
【００４２】
また、このスイッチボックス５は、ボックス本体５０の一側面にガイドプレート５２が垂設されている。このガイドプレート５２には、前述のシャフト２０を挿通するシャフト孔５２ａが穿設されている。このガイドプレート５２は、シャフト孔５２ａにシャフト２０の先端部分を挿通することにより、湿式電動ドリル１００の削孔が進行してシャフト２０がシャフトホルダー２で押圧された際に、シャフト２０の先端部分を操作レバー４０の揺動軌道Ａと交差する所定方向に誘導してガイドする機能を有している。
【００４３】
（固定部材）
図６は、誤動作対策スイッチ機構１の固定部材６を示す斜視図である。図６に示すように、固定部材６は、ブロック状の固定部材本体６０と、この固定部材本体６０に螺合するねじ部６１など、から構成された排水機構１３を湿式電動ドリル１００に固定するための部材である。この固定部材本体６０には、固定チューブ１５を挿通するチューブ孔６２が穿設されている。また、ねじ部６１には、手で摘まんで回すための摘み６１ａが取り付けられている。
【００４４】
（吸水キャップ）
次に、図７を用いて、前述の排水機構１３として設ける吸水キャップ７について簡単に説明する。図７は、本発明の実施形態に係る排水機構１３の吸水キャップ７を示す斜視図である。
【００４５】
本発明の実施形態に係る吸水キャップ７は、湿式電動ドリル１００の排水機構１３の吸引パッド１６ｂに取り付けられて、削孔により発生したコンクリートなどの削孔対象物の削屑（粉塵）を冷却水とともに吸引・吸水して回収する機能を有している。
【００４６】
この吸水キャップ７は、ゴム弾性を示すゴム材から形成されたキャップ本体７０から主に構成されている。ここで、ゴム弾性とは、ヤング率（弾性率）が小さく、常温で１０5〜6 Ｎ／ｍ2程度あり、伸びは数百パーセントに及ぶ高弾性を示すゴムおよびゴム類似物質の示す特異な性質のことを指している。また、ゴム材とは、このようなゴム弾性を示す高分子鎖が部分的に結合して３次元のネットワーク構造を形成した材料を指している。
【００４７】
このキャップ本体７０は、図７に示すように、全体として外形が円錐台状の形状をしており、内部が空洞となっている。また、キャップ本体７０には、吸引パッド１６ｂ側である基端側に円形の基端開口が形成され、反対側の先端側に円形の先端開口７１が形成されている。この先端開口７１は、湿式用ダイヤモンドビット１２で削孔する孔の径よりやや大きく、即ち、湿式用ダイヤモンドビット１２の外径に対して僅かに離間（例えば、０．２５〜０．５ｍｍ）した小径の開口となっている。
【００４８】
また、吸水キャップ７には、キャップ本体７０の一部（下部）から外側に張り出した三日月状のタブ７２も形成されている。このタブ７２は、掴んで吸引パッド１６ｂへ取り付けたり、取り外したりする際に使用する。
【００４９】
吸水キャップ７によれば、湿式電動ドリル１００により、ピンニング工法に用いるような小径の孔を削孔する場合であっても、削孔に支障なくバキュームで吸引して排水することができる。このため、汚水が接触して汚れる仕上げ面の面積を極力少なくすることができる。
【００５０】
＜湿式電動ドリルの誤動作対策スイッチ機構の使用状態＞
次に、図１，図８，図９を用いて、湿式電動ドリルの誤動作対策スイッチ機構１の使用状態について説明する。図８は、誤動作対策スイッチ機構１を備えた湿式電動ドリル１００の削孔時の状態を示す全体側面図であり、図９は、ピンニング工法の一環として湿式電動ドリル１００を用いて浮き上がったタイル面に削孔している状態を示す部分鉛直断面図である。
【００５１】
図９に示すように、吸水キャップ７を取り付けた前述の湿式電動ドリル１００を用いて、仕上げ面であるタイルＴ１の表面から浮き上がっているモルタル層Ｍ１を貫通し、コンクリート躯体Ｃ１にタイルＴ１を支持可能な所定深さまで達する孔Ｈ１を削孔する。
【００５２】
このとき、図示しない給水装置から冷却水が給水チューブ１１ａを介して供給される。孔Ｈ１に供給された冷却水は、コンクリート躯体Ｃ１との摩擦熱で熱せられたダイヤモンドビット１２を冷却するとともに、削孔により発生した削屑（粉塵）を巻き上げて削屑が混ざった汚水となりタイルＴ１の表面外部へ押し流される。タイルＴ１の表面外部へ押し流された汚水は、バキューム装置の吸引力で吸水キャップ７を介して排水機構１３を通じて排水される。
【００５３】
このように正しく各装置を作動させるには、前述の電動ドリル１０、冷却水を供給する給水装置、汚水を吸引するためのバキューム装置、それぞれのスイッチをＯＮして適正な順番で作動する必要がある。しかし、その順番を間違えたり、意図せずスイッチに接触してしまったりするなど誤動作でこれらの順番が狂うと、バキューム装置が停止して汚水で周囲が汚れたり、電動ドリル１０のダイヤモンドビット１２が焼き付いて使いものにならなくなったりするおそれがあった。
【００５４】
正しいスイッチ操作は、汚水を回収するためのバキューム装置のスイッチ４をＯＮし、次に、冷却水を供給する給水装置のスイッチ（図示せず）をＯＮし、最後に、電動ドリル１０のスイッチ１０ａをＯＮする。そして、削孔が終了すると、電動ドリル１０のスイッチ１０ａをＯＦＦし、次に、給水装置のスイッチをＯＦＦし、最後に、バキューム装置のスイッチ４をＯＦＦする。但し、電動ドリル１０のスイッチ１０ａと給水装置のスイッチのＯＮ・ＯＦＦ操作は、直ちにダイヤモンドビット１２が焼き付く心配はないので、正しい操作方法と多少の時間差であれば、前後して逆になっても構わない。
【００５５】
しかし、バキューム装置のスイッチ４をＯＮせず、給水装置のスイッチや電動ドリル１０のスイッチ１０ａをＯＮして削孔したり、給水装置や電動ドリル１０を止める前に、先にバキューム装置のスイッチ４をＯＦＦしてしまったりすると、汚水で周囲が汚れるという問題が直ちに発生する。特に、仕上げ面が、多孔質である陶器質タイルやリシン仕上げ等である場合、汚水が接触して汚れた部分を清掃することが極めて困難であった。
【００５６】
図８，図９に示すように、誤動作対策スイッチ機構１を備えた湿式電動ドリル１００は、湿式電動ドリル１００による削孔が進行して、孔Ｈ１が深くなると、タイルＴ１に当接する吸水キャップ７を介してコンクリート躯体Ｃ１からの反力により伸縮チューブ１４が縮まって行く。具体的には、径の大きい管体である固定チューブ１５に径の小さい管体である可動チューブ１６が収容されて行く。
【００５７】
このとき、誤動作対策スイッチ機構１では、伸縮チューブ１４が縮まる動作と連動して、可動チューブ１６に固定されたシャフトホルダー２及びそのシャフトホルダー２に保持されたシャフト２０が突出して行くこととなる。逆に、伸縮チューブ１４が伸びるとシャフト２０は、後退する。つまり、伸縮チューブ１４の伸縮動作とシャフト２０の突没動作が連動している。
【００５８】
また、シャフト２０の突出軌道Ｂ（図２も参照）は、ガイドプレート５２によりシャフト２０の先端部分が操作レバー４０の揺動軌道Ａと交差する方向に案内・誘導されて突出する。
【００５９】
このため、図８，図９に示すように、誤動作対策スイッチ機構１を備えた湿式電動ドリル１００では、シャフト２０が邪魔になってＯＮ状態の操作レバー４０を揺動して下方へ降ろすことが物理的にできなくなっている。このため、湿式電動ドリル１００の作動中に誤ってスイッチ４を切って（ＯＦＦして）バキューム装置の吸引ポンプを停止してしまうおそれがない。
【００６０】
そして、湿式電動ドリル１００による削孔作業が終了すると、電動ドリル１０のスイッチ１０ａの押圧を止めることで、電動ドリル１０がモータが停止する。その後、電動ドリル１０を削孔対象物であるタイル面（コンクリート躯体Ｃ１）から離すと、押圧されて短縮していた伸縮チューブ１４が、前述のばね材の復元力で元の長さに戻り、シャフトホルダー２に保持されたシャフト２０が後退し、誤動作対策スイッチ機構１は、図１の状態となる。
【００６１】
このため、操作レバー４０を下方へ降してスイッチ４をＯＦＦすることが可能となり、バキューム装置を直ちに停止することができる。このため、削孔が終了した際に即座にバキューム装置のスイッチを止めることができ、騒音源でもあるバキューム装置の使用時間を最小限とすることができる。
【００６２】
つまり、誤動作対策スイッチ機構１を備えた湿式電動ドリル１００では、湿式電動ドリル１００で削孔を始める前の図１の状態において、電動ドリル１０や給水装置を作動する前に、スイッチ４をＯＮしさえすれば、スイッチの操作手順を誤るおそれがない。
【００６３】
それに加え、湿式電動ドリル１００には、吸水キャップ７も装着されている。このため、バキューム装置の吸引力は、従来の市販のものと変わりないが、吸水キャップ７により、開口面積が従来の吸水口１６ａ（図１０等参照）の面積から先端開口７１（図７参照）の面積まで狭められている。このため、バキューム装置の吸引力が同じでも、先端開口７１付近での流速が増し、効率よく汚水を吸引することができる。
【００６４】
また、タイルＴ１の表面に汚水が接触する面積は、先端開口７１の面積となり、削孔した孔Ｈ１と略変わらない大きさとなる。このため、タイルＴ１の表面が汚水で汚れた場合でも、目立たず清掃する手間が省ける。また、清掃する場合でも、拭き取るのが極めて容易となる。特に、タイルＴ１が多孔質である陶器質タイルの場合、多孔質のざらついた表面に汚水が染み込んでしまい、拭き取るのが容易ではないという問題を解決することができる。
【００６５】
以上説明した本発明の実施形態に係る湿式電動ドリルの誤動作対策スイッチ機構１及びそれを備えた湿式電動ドリル１００によれば、誤ってバキューム装置のスイッチ４を切って（ＯＦＦして）しまうおそれがなくなる。このため、誤操作でバキューム装置が止まってしまい、冷却汚水が吸引できずに削孔した孔Ｈ１の周囲が汚れることを完全に防止することができる。
【００６６】
以上、本発明の実施形態に係る湿式電動ドリルの誤動作対策スイッチ機構１及びそれを備えた湿式電動ドリル１００について詳細に説明したが、前述した又は図示した実施形態は、いずれも本発明を実施するにあたって具体化した一実施形態を示したものに過ぎない。よって、前述の実施形態により本発明の技術的範囲が限定的に解釈されてはならないものである。
【００６７】
特に、実施形態に係る誤動作対策スイッチ機構１のスイッチ４として、トグルスイッチを例示してシャフト２０が邪魔になって物理的に操作レバー４０を下げられないものを示したが、本発明に係る誤動作対策スイッチ機構のスイッチは、物理的にＯＦＦできないものに限られない。つまり、本発明に係る作動対策スイッチ機構のスイッチは、押ボタンスイッチやロッカスイッチなど他の種類のスイッチとして、シャフト２０が邪魔になってスイッチをＯＦＦし難いものを含むものである。また、スイッチ４は、バキューム装置のスイッチに限られず、給水装置のスイッチとしたり、前述のように両装置を連動するスイッチであっても構わない。
【符号の説明】
【００６８】
１：誤動作対策スイッチ機構
２：シャフトホルダー
２０：シャフト
２１：ホルダー本体
２２：チューブ孔
２３：シャフト穴
３：ストッパー
３０：ストッパー本体
３１：ねじ部
３２：チューブ孔
３３：スリット
４：スイッチ
４０：操作レバー
５：スイッチボックス
５０：ボックス本体
５１：レバー孔
５２：ガイドプレート
５２ａ：シャフト孔
６：固定部材
６０：固定部材本体
６１：ねじ部
６１ａ：摘み
６２：チューブ孔
７：吸水キャップ
７０：キャップ本体
７１：先端開口
７２：タブ
１００：湿式電動ドリル
１０：電動ドリル
１０ａ：スイッチ
１１：湿式用シャンク（シャンク）
１２：ダイヤモンドビット（ドリルビット）
１３：排水機構
１４：伸縮チューブ
１５：固定チューブ
１６：可動チューブ
１６ａ：吸水口
１６ｂ：吸引パッド
１７：排水ホース
Ａ：揺動軌道
Ｂ：突出軌道
Ｃ１：コンクリート躯体（コンクリート構造物）
Ｍ１：モルタル層
Ｔ１：タイル（仕上げ層：仕上げ面）
Ｈ１：孔
【要約】      （修正有）【課題】バキューム装置や給水装置のスイッチを誤動作するおそれがなく、冷却汚水や冷却水で周囲が汚れたり濡れたりすることを防止することができる湿式電動ドリルの誤動作対策スイッチ機構及びそれを備えた湿式電動ドリルを提供する。【解決手段】湿式電動ドリル１００の冷却汚水を吸引するバキューム装置又は冷却水を供給する給水装置のスイッチ５の誤動作を防止する湿式電動ドリル１００の誤動作対策スイッチ機構１において、バキューム装置と連通する冷却汚水の排水機構１３は、湿式電動ドリル１００で削孔した削孔深さに応じて伸縮する伸縮チューブ１４を備えており、伸縮チューブ１４の伸縮とシャフト２０の突没動作が連動するシャフト２を設け、スイッチ４を、ＯＮ・ＯＦＦ動作の動作線がシャフト２０の突出軌道と重なるように取り付け、シャフト２０の突出時に、スイッチ４をＯＮ又はＯＦＦできない、又は操作し難いように構成する。【選択図】図８【図１】
0006661184.tif 000002
【図２】
0006661184.tif 000003
【図３】
0006661184.tif 000004
【図４】
0006661184.tif 000005
【図５】
0006661184.tif 000006
【図６】
0006661184.tif 000007
【図７】
0006661184.tif 000008
【図８】
0006661184.tif 000009
【図９】
0006661184.tif 000010
【図１０】
0006661184.tif 000011